(57)【特許請求の範囲】
【請求項１】
筒体（Ｃ）の表面処理のための機械（Ｍ）であって、
前記筒体（Ｃ）を支持し、これをそれ自体の長手方向軸線（Ｘ）回りに可変の回転数で回転させる第１の作業ステーション（ＭＡ）と、
前記筒体（Ｃ）の表面（Ｓ）にランダムに当たって該表面（Ｓ）上に所望の粗さを提供するパルスレーザ放射線を発生させて該パルスレーザ放射線を光ファイバ装置によって放出するために前記第１の作業ステーション（ＭＡ）と協働する少なくとも１つの第２の作業ステーション（ＭＢ）とを有し、
前記パルスレーザ放射線は、電気制御レーザ発生器（ＧＥ）により放出され、前記パルスレーザの持続時間及びパルスレーザの時間間隔は、独立してランダムであることにより特徴付けられ、
少なくともレーザ処理のための前記第２の作業ステーション（ＭＢ）は、前記筒体（Ｃ）の軸線（Ｘ）に対して平行な第１の方向（Ｋ）において、可変の移動速度で制御可能に移動するように前記第１の作業ステーション（ＭＡ）に配置され、かつ、
可変の出力のレーザ発生器からパルスレーザ放射線を送出するための光学ファイバ装置と、ランダムにレーザ放射線を形成するように時間単位当たりのレーザパルスの数が可変である前記放射線を発射するための１つ又は２つ以上の放出ヘッド（８）と、を備え、
前記少なくとも１つの放出ヘッド（８）は、前記第１の方向（Ｋ）に前記手段を制御可能に移動させるための移動手段（ＭＯＴ２，５）を有する支持手段（６）に組み込まれ、
前記手段（６）は、前記軸線（Ｘ）に垂直な第２の方向（Ｚ）に前記筒体（Ｃ）の表面（Ｓ）に対して移動するように構成された少なくとも１つのアーム（７）を備え、
レーザ処理のための前記少なくとも１つの装置（ＭＢ）は、前記回転数、前記移動速度、前記出力、及び、単位時間当たりのレーザパルスの数が変化できる場合に、特定の表面（Ｓ）の粗さを生じさせるために積層された筒体（Ｃ）の表面（Ｓ）上にランダムに分布するように微小凹部を形成するように構成されている、機械。
【請求項２】
１つ又は２つ以上の前記１つ又は２つ以上の放出ヘッド（８）は、前記第１の方向（Ｋ）及び前記筒体（Ｃ）に平行な第３の方向（Ｗ）に動くことができる、請求項１記載の機械。
【請求項３】
前記第２の作業ステーション（ＭＢ）は、レーザインパルス列を放出する前記１つ又は２つ以上の放出ヘッド（８）と、前記１つ又は２つ以上の放出ヘッド（８）を支持すると共に前記方向（Ｗ，Ｚ）における前記筒体（Ｃ）の前記表面（Ｓ）に対する前記１つ又は２つ以上の放出ヘッド（８）の位置を調節する手段（６，７，９，１０，１１，１２，１３）と、前記筒体（Ｃ）の前記軸線（Ｘ）に平行な前記第１の方向（Ｋ）における前記１つ又は２つ以上の放出ヘッド（８）の前記支持及び調節手段（６，７，９，１０，１１，１２，１３）のための運動手段（ＭＯＴ２，５）とを有する、請求項１又は２記載の機械。
【請求項４】
前記支持及び調節手段（６，７，９，１０，１１，１２，１３）は、前記１つ又は２つ以上の放出ヘッド（８）を支持するのに適した少なくとも１本のアーム（７）を含み、前記１つ又は２つ以上の放出ヘッド（８）は各々、ガイド（１０）上で移動可能であるトロリ支持体（９）に取り付けられ、前記トロリ支持体は、連結ロッド（１１）によって前記トロリ（９）に連結されたモータ手段（１２，１３）のスラストを受けて前記方向（Ｗ）に沿ってそれ自体前記アーム（７）に対する前記１つ又は２つ以上の放出ヘッド（８）の位置の移動を可能するのに適している、請求項３記載の機械。
【請求項５】
前記運動手段（ＭＯＴ２，５）は、少なくとも、モータ（ＭＯＴ２）のスラストを受けて前記第１の作業ステーション（ＭＡ）のベース（１）に取り付けられたガイド（５）上で摺動する構造体（６）を含む、請求項２又は３記載の機械。
【請求項６】
光ファイバ装置によってパルス化され、前記１つ又は２つ以上の放出ヘッド（８）によって放出される前記衝撃レーザ放射線は、前記粗さをもたらす前記表面（Ｓ）上の切り込み又は凹部の分布を生じさせるのに適している、請求項１〜４のうちいずれか一に記載の機械。
【請求項７】
前記機械は、前記パルスレーザ放射線を運ぶ光ファイバ手段を有する、請求項１〜６のうちいずれか一に記載の機械。
【請求項８】
前記アーム（７）は、特定の指令によって前記第２の方向（Ｚ）に沿う前記１つ又は２つ以上の放出ヘッド（８）の位置を連続的に調節することができる、請求項４記載の機械。
【請求項９】
特定の表面粗さを得るための筒体（Ｃ）の表面処理方法であって、
−前記方法は、前記筒体（Ｃ）をそれ自体の軸線（Ｘ）回りに可変の回転数で回転させる段階と、
−前記筒体（Ｃ）の前記軸線（Ｘ）に対して平行な第１の方向（Ｋ）に沿って、前記筒体（Ｋ）に対して可変の移動速度で、支持手段（６）を有する少なくとも１つの放出ヘッド（８）を移動させる段階と、
−前記手段（６）に組み込まれたアーム（７）を、前記軸線（Ｘ）に横向きの第２の方向（Ｚ）に移動させる段階と、
−パルスレーザ放射線を可変出力のレーザ発生器から前記少なくとも１つの放出ヘッド（８）へ送出する段階と、
少なくとも１つの放出ヘッド（８）によって放出され、単位時間当たりのレーザパルスの数が可変なインパルス列を前記筒体（Ｃ）の表面（Ｓ）に作用させ、これにより、前記表面（Ｓ）にランダムな分布の切り込み又は凹部を生じさせ、前記表面に特定の粗さを定める段階と、を有し、
前記少なくとも１つの放出ヘッド（８）によって放出されたインパルス列の持続時間及びインパルス列の時間間隔は、独立してランダムである、方法。
【請求項１０】
前記少なくとも１つの放出ヘッド（８）の前記調節は、前記軸線（Ｘ）に対して横の第２の方向（Ｚ）における前記筒体（Ｃ）の前記表面（Ｓ）に対する前記少なくとも１つの放出ヘッド（８）自体の位置を調節することによって行われる、請求項９記載の方法。
【請求項１１】
前記少なくとも１つの放出ヘッド（８）は、前記第２の方向（Ｚ）それ自体に垂直な第３の方向（Ｗ）において振動状態で動くことができる、請求項９記載の方法。
【請求項１２】
前記少なくとも１つの放出ヘッド（８）の前記移動は、この放出ヘッド（８）を前記筒体（Ｃ）の前記軸線（Ｘ）に平行な第１の方向（Ｋ）に摺動させることにより行われる、請求項９又は１０記載の方法。
【発明の詳細な説明】
【技術分野】
【０００１】
本発明は、作業筒体、特に貼合せ用筒体の表面処理を行う作業機械及び関連方法に関する。
【０００２】
本発明は、有利には、例えば、或る特定の粗さ特性又はパラメータを備えた金属ラミネートの製造に適した筒体が受ける表面処理を行う際に利用されて金属ラミネートが特定の用途、例えば成形及び塗装に用いるのに適したものにする。
【０００３】
したがって、以下の説明は、具体的にはこの種の用途に関するが、それと同時にその一般性が維持される。
【背景技術】
【０００４】
金属貼合せ方法は、金属シートを１対の回転筒体中に通す段階を有し、それにより金属シートに或る特定の厚さ及び硬さを与え、又、場合によっては自動車又は家庭電化製品の製作用の扁平な製品の冷間貼合せの際に、幾何学的表面特徴がネガの状態で処理されるシート上に運ばれたときに特定の表面粗さを与える。
【０００５】
上述の粗さパラメータ及びその結果としての貼合せ用筒体の表面特性は、かかる貼合せ用筒体の通過によって得られたシートの最終使用に関連してあらかじめ定められる。
【０００６】
貼合せのために用いられる上述の筒体は、一般に、製造プロセス中に受ける劣化に起因して定期的に研削されなければならず、この研削プロセスは、筒体の表面に所望の特性の全てを与えるには必ずしも十分とは言えず、場合によっては、例えば上述の用途において、或る特定の粗さの度合いを得ると共に制御することができる別の表面処理を必要とする。この粗さが有すべき特性の全てに関し、この粗さは、凸部（山部）と凹部（谷部）の分布として定義されることは指摘されるべきである。これら凹部は、多かれ少なかれ一様な寸法を備えなければならずしかもできるだけランダムに分布されなければならない。
これら貼合せ用筒体の表面を処理する現時点において知られている技術は、種々の多少複雑な技術を利用しており、これら技術のうちで最も広く用いられている技術は、サンドブラスチング及び当業者によりＥＤＴ（Electro Discharge Texturing：放電表面模様付け）とも呼ばれている放電加工である。
【０００７】
これら処理技術は、平均粗さの良好な調整を可能にするが、プロセス上危険であると共に大きな環境へのインパクトがあるという特徴を有し、その結果、運転費の高さに加えて残留物の管理及び処分が相当複雑になる。
【０００８】
サンドブラスチングは、例えば、大規模プラントを必要とし、かかる大規模プラントは、これらの機能を実行するため、騒音が大きく且つ危険でもある大型タービンを用いており、更に、このプロセスでは、研摩砂により放出される相当高い毒性の粉末が生じ、これら粉末は、専用システムによって浄化されると共に濾過されなければならない。
【０００９】
最後に、この方法の性質上、用いられる研摩剤に起因して相当な保守が必要であり、かかる研摩剤は、適切には保護することができない多くのコンポーネントを損傷させる。
【００１０】
上述の全てに加えて、サンドブラスチングは、粗さの良好な制御を可能にすることはなく、その結果、このプロセスで処理される筒体は、粗さレベルに関して均一性の貧弱なラミネートを生じさせる。
【００１１】
放電加工又はＥＤＴは、得られる粗さの均一性によると共に機械加工ステップの痕跡が全くないので定性的観点からは最善の結果を現在提供している技術である。
【００１２】
しかしながら、このプロセスは、可燃物、例えば誘電性液体が広く用いられているので極めて危険であり、したがって、考えられる着火源が生じないようにするために複雑精巧な防火システムの導入を必要としていることは注目されるべきである。
【００１３】
ＥＤＴの環境に対するインパクトも又相当なものであり、それどころかサンドブラスチングの環境に対するインパクトよりも大きい。と言うのは、誘電性液体は、極めて毒性が高いのでこれ又極めてコスト高である専用手順により処分しなければならない場合が多いからである。
【００１４】
ＥＤＴプロセスの変形例は、それほど普及していないが、材料が微小凹部を形成するよう局所的に溶融されてこの微小凹部の側部のところに堆積するＥＢＴ（Electron Beam Texturing：電子ビーム模様付け）プロセスである。
【００１５】
このプロセスを実施する機械の顕著な欠点としては、筒体が処理中、実質的に矯正真空度が存在するチャンバ内に位置決めされなければならず、機械が極めて高価になると共に保守が困難であり、最終的に貼合せ環境に不適当であるということにある。
【００１６】
また、材料をＥＤＴ技術の場合のように除去するのではなく、材料を筒体の表面に被着させることによって所望の粗さを得ようとしている他の技術も又存在するが、これまでに得られた結果は、工業用途にとって興味のあるものではない。
【００１７】
現在入手できて上述の技術の相当大きな問題を解決することができる筒体の別の処理技術は、連続二酸化炭素レーザビーム、即ち「ＣＯ2レーザ」を用いて筒体の表面の切り込み処理を行うことである。
【００１８】
連続ＣＯ2レーザビームによる上述の処理は、強力であり（ビームは、ｋＷオーダの出力値に達する場合がある）、かかる処理は、環境上の観点からはインパクトをもたらさないが、欠点がないわけではなく、例えば、処理されるべき筒体の表面に向かう光ビームの伝搬が特に融通性を欠き、取り扱いに注意を有するという欠点がある。「中赤外」周波数範囲での動作によって、事実（ガラスが不透明であり、その結果光ファイバが機能しない場合）、ビームは、鏡及びレンズシステムによって処理されるべき部品に切り込みを入れるようになり、この技術上の問題により、処理されるべき筒体とレーザビームエミッタの相対運動の生じ方が複雑になる。さらに、比較的広い断面を有し、空気中に伝搬しそして赤外周波数範囲内で動作するときに目に見えない連続高出力ビームの使用により、これら機械は、特に目の損傷の可能性があるので本来的に危険なものになる。したがって、システム全体（光路を含む）は、危険な管理されない状態の反射光の発生を回避するよう遮蔽されなければならない。
【００１９】
ＣＯ2レーザビームの伝搬上の問題により、規則性なしで表面を作ることが極めて困難であり、この技術により作られる切り込み順序は、貼合せ用筒体に通過線をもたらす傾向があり、これら切り込みシーケンスは、金属ラミネートに多くの用途、例えば自動車又は家庭電化製品の外部部品として用いられるのに適したラミネートの塗装では用いることができない粗さの品質を与える。
【発明の概要】
【００２０】
したがって、本発明の目的は、上述の先行技術の欠点を解決することができる方法の実施に用いられる機械を提供することにある。
【００２１】
特に、本発明の目的は、通常の機械工具に特有の環境上のインパクトを無視できる状態にして有効な結果をもたらすことができる作業筒体の表面処理のための新規な機械を提供することにあり、このようにして作られた筒体の使用により、特に満足の行く粗さを有すると共に例えば上述した高品質用途向きの金属ラミネートを得ることができるようになっている。
【００２２】
別の目的は、迅速且つ効果的でありしかも経済的に有利な作業筒体の表面処理方法を提供することにある。上述の目的を考慮して、本発明によれば、添付の特許請求の範囲に記載された特徴を有する筒体の表面処理のための機械が関連方法と共に提供される。
【００２３】
本発明の構造的及び機能的特徴並びに公知の技術と比較した場合のその利点は、添付の図面を参照して以下の説明を読むと明らかになり、添付の図面は、問題の表面処理のための作業機械の好ましいが非限定的な実施形態の概略を示している。
【図面の簡単な説明】
【００２４】
【図１】筒体の表面処理のための機械の好ましい実施形態の概略平面図である。
【図２】図１に示されている機械の横断面図である。
【図３】図１に示されている機械の作業コンポーネントの概略正面図である。
【図４】図３に示されたコンポーネントの細部の概略拡大平面図である。
【図５】本発明による機械内で作動する筒体の表面上に望ましい粗さを生じさせるのに適したレーザパルスの発生プロセスを概略的に示すグラフ図である。
【図５ａ】本発明による機械の制御に関連した幾つかのコンポーネントを示すブロック図である。
【図５ｂ】本発明による機械の制御中、作用状態にある機能的変数の図である。
【図６】図１、図２、図３及び図４に示されたコンポーネントで得ることができる処理済み筒体の平面図である。
【発明を実施するための形態】
【００２５】
図１を参照すると、Ｍは、全体として、作業筒体Ｃ自体の周面延長部全体又は表面Ｓに制御されると共に最適な粗さを提供するために作業筒体Ｃの表面Ｓに対して処理を行うのに適した好ましくは自動式、場合によっては数値制御式の作業機械を示している。
【００２６】
特に、機械Ｍの使用によって適当に処理される１対の筒体Ｃが有利に且つ効果的に、高品質用途、例えば自動車又は家庭電化製品業界で用いられる金属シートの成形及び塗装向きの金属シートの貼合せを行うのに採用される。
【００２７】
機械Ｍは、実質的に、互いに協働すると共に結合されていて、図１に符号ＭＡ及びＭＢで示された２つの作業ステーションで構成されている。
【００２８】
機械ＭのステーションＭＡは、実質的に、モータＭＯＴ１の作用を受けて筒体Ｃをそれ自体の長手方向軸線Ｘ回りに回転させるのに適したグループ２又は部品ホルダヘッドのための支持ベース１であって、グループ２と一緒に、筒体Ｃを処理中、軸方向に拘束する目的を有するグループ３又は心押し台センタを支持する支持ベース１によって構成されている。
【００２９】
処理中における筒体Ｃの支持は、圧延機筒体に関する研削技術において通常行われているように、「リュネット（lunette）」と通称されている１対の適当な支持体４によって行われるのが良く、リュネット４の各々は、支持が行われる筒体の部分の直径にそれ自体適合するよう半径方向に調節可能な少なくとも２つのスライダ４ａを備え、「リュネット」４は、従来通り、支持ベース１に搭載状態で収容されるのが良い。しかしながら、筒体Ｃが特定の幾何学的特性を有する場合、筒体Ｃを支えるためのユニット２，３を用いてその回転軸線を構成する（センタ相互間の支持体）ことが可能であることを明らかであり、この場合、「リュネット」４は、用いられない。
【００３０】
機械ＭのステーションＭＢは、従来通りベース１に搭載状態で位置決めされた１対のガイド５上を摺動し、このステーションＭＢは、少なくとも、筒体Ｃの回転軸線Ｘに平行な第１の方向Ｋに沿って動くことができる例えば門形の支持構造体６を有する。
【００３１】
ガイド５は、例えば静水力学的又は動水力学的（公知であって図示されていない）のロールを備えるのが良く、これに対し、１つ又は複数の可動構造体６は、１つ又は２つ以上のモータＭＯＴ２によって作動されるのが良い。
【００３２】
ステーションＭＢの構造体６は、１本又は２本以上のアーム７を支持するのに適しており、かかるアームは、機械Ｍが図２に示されている平面内において軸線Ｘの線により構成される機械のセンタに対して半径方向又は第２の方向Ｚに動くことができる。
【００３３】
この方向は、符号Ｚで示されており、軸線Ｘ及び方向Ｋに垂直であり、この運動は、公知の手段により生じ、したがって、図示されていない。
【００３４】
アーム７は、以下に説明する適当な支持及び移動機構体によって、光ファイバ１４によってレーザ発生器ＧＥに連結されると共にその一部をなすパルス化ビーム又はレーザパルス列のエミッタ又は放出ヘッド８を支持するのに適している。
【００３５】
これらレーザパルス列の特性は、図５の略図に示されており、図５は、横軸に時刻ｔを示し、縦軸に信号状態、即ち、高若しくは状態１又は低若しくは状態０を示している。
【００３６】
一般に、状態０及び状態１の持続時間のランダムな変化の観点でサウンド（音）が重ね合わされた基準が存在する。低状態０及び高状態１に追加させるサウンドの値は、一般に、様々である。
【００３７】
図５ａは、光ファイバレーザビームの発生及び制御に関連した部分をなすコンポーネントのブロック図である。
【００３８】
処理パラメータ、例えばパルス及びサウンド曲線の特性は、例えばヒューマン‐マシンインターフェースを管理するのに適した装置のコンピュータ上に設置される監視インターフェースによって定められ、この場合、パルス発生器は、レーザ発生器ＧＥにプローブの出口のところのレーザビームの存在に対応していて、定められた特性を持つ基準信号を与える。
【００３９】
レーザ発生器ＧＥは、持続時間及びエネルギーがシステムを充電する遅延時間（状態０）とパルス持続時間又は高状態１の両方に束縛されたビームを放出する。
【００４０】
図５ｂは、筒体を切断するレーザの特性を概略的に示しており、発生器ＧＥは、持続時間Ｄｎを備えた全体的強度Ｉｎ及び１つの信号Ｄｎと別の信号Ｄｎ＋１との間の無音間隔Ｓｎを有するレーザ信号を放出することができる。
【００４１】
図５ｂに示されているグラフ図は、変数Ｉｎ，Ｄｎ，Ｓｎの全てを必要に応じて発生器ＧＥの適当な制御システムによって変化させることができるということを明確に示している。
【００４２】
ヘッド８の他の基本的且つ特定の特徴は、ＧＥにより発生する信号が嵩張っておらず、しかも機械的に柔軟性である単一の光ファイバによって運ばれるということにあり、旧式ＣＯ2技術に対するその利点については以下において明確にされよう。
【００４３】
図３及び図４に示されている本発明の非限定的な実施形態の実施例に示されている技術内容に従って、ヘッド８は、トロリ９に固定されており、トロリ９は、適当な支持ガイド１０によって、第１の方向Ｋ及び上述の筒体Ｃの軸線Ｘに平行な第３の方向Ｗに沿って走行することができる。方向Ｗに沿うヘッド８の考えられる移動は、例えば、符号１３で示されている適当な回転発生器によって回転する連結ロッド１１及びクランク１２により図３及び図４に示されている共通連結ロッド‐クランク機構体によって決定できる。
【００４４】
上述の単純な機構体により、使用の際、ヘッド８単独の位置の調節運動を方向Ｋ，Ｘに平行な方向Ｗに沿って且つＭＯＴ２により１つ又は複数の構造体６に課される運動の法則と別個独立の運動の法則により生じさせることができ、更に、偏心体１２に作用することにより方向Ｗに沿う走行の範囲を調節することも又可能である。
【００４５】
手短に言えば、筒体Ｃに対するヘッド８の位置を２つの運動の自由度、即ち、２つの目的でアーム７の運動により得られる方向Ｚにおける筒体Ｃからのマイクロメートル規模の調節と筒体Ｃに向かうマイクロメートル規模の調節に従って動かすことができ、第１の目的は、ヘッドの位置を所望の相対距離Ｌ（図６）で処理されるべき筒体の直径に適合させることにあり、第２の目的は、この相対距離Ｌを一定に保つためにヘッドの位置を方向Ｚに沿って変化させることにあり、筒体の輪郭形状に対する方向Ｋに沿う位置ＭＢの変化は、この輪郭形状が「扁平」ではないことを仮定しており、特に金属の貼合せで用いられる筒体は、事実、凹に湾曲し、凸に湾曲し、正弦波の又はより一般的に多角形であるのが良い種々の形状の輪郭形状を有する。
【００４６】
さらに、ステーションＭＢがアーム７にそれぞれ組み付けられた２つ以上のレーザヘッド８を備えた変形例として機械Ｍが構成されている場合、これらアームは、同時に作動することができ、そして筒体Ｃの表面Ｓの種々の領域に及んでこれらを処理することができ、その結果、プロセスがより迅速になる。
【００４７】
さらに、互いに異なる運動の法則が各ヘッド８の軸線Ｗについて適用される場合、より効果的なランダム化効果を得ることができる。
【００４８】
このように、使用の際、機械Ｍにより、筒体Ｃの表面Ｓそれ自体上に或る特定の粗さを生じさせる切り込み穴又は微小凹部の分布を筒体Ｃの表面Ｓ上に形成することができる。
【００４９】
説明のこの時点において、指摘されるべきこととして、ヘッド８のうちの１つ又は２つ以上への自由度Ｚ及び場合によってはＷの適用は、レーザ信号が旧式ＣＯ2技術により発生させた場合には事実上不可能であり、と言うのは、この信号は、事実、鏡及びレンズによってしか「運ばれる」ことができないからであり、発生器ＧＥは、トロリ９上に直接組み付けられる必要があるが、これら装置の質量及び走行により、許容可能な動的特性を備えた上述の自由度Ｗ及びＺの適用が不可能ではないとしても極めて困難になる。
【００５０】
注目されるべきこととして、一般に、筒体の表面処理の品質又はこの筒体の表面の粗さを定める次の３つの主要な基本的パラメータが存在する。
‐筒体の表面上に作られる微小凹部の深さ、
‐例えば直径が筒体の表面に一致した状態で特定されるのが良いこれら微小凹部の寸法、
‐筒体の表面の既定の領域における微小凹部の密度及び分布。
【００５１】
本発明の目的である上述の表面処理機械Ｍの使用により、微小凹部の深さ及び寸法をレーザ発生器ＧＥの出力の変化（このパラメータは、図５ｂのグラフ図の大きさＩで定められる）及び放出ヘッド８と筒体Ｃの表面Ｓとの間の距離の変化によって調節される。この距離は、方向Ｚに沿って筒体Ｃに対して垂直に並進することができるアーム７によって代えられる。
【００５２】
筒体Ｃと放出ヘッド８との間の距離は、いったん調節されると、筒体Ｃの処理サイクル全体について一定に保たれる。
【００５３】
次に、筒体Ｃ上に作られた微小凹部の密度を種々のパラメータ、例えば筒体Ｃのそれ自体の軸線Ｘ回りの回転速度、方向Ｋに沿う構造体ＭＢの並進速度、方向Ｗに沿うトロリ９の並進運動の速度及び範囲（実施される場合）及び時刻単位でレーザヘッド８により放出されるレーザパルスの数、即ち、図５ｂのグラフ図に示されている変数Ｄｎ及びＳｎの組み合わせに作用することよって調節される。
【００５４】
注目されるべきこととして、上述のパラメータの全てを機械Ｍの作動段階中に適切に変化させることができ、かくして、微小凹部の完全にランダムな分布を得ることができ、この場合、最終の処理済み製品を許容できないものにする場合のある通過線又は等間隔でのシーケンスの繰り返しが存在しない。
【００５５】
具体的に説明すると、機械Ｍの機能実行サイクル中、グループ３又は部品ホルダヘッドの速度をサイクルに従って例えば或る特定の平均値を中心とした正弦波の動向につれて変化させることができ、これに対し、構造体ＭＢは、筒体の軸線Ｘに平行に並進する。
【００５６】
トロリ９は、要素１１，１２，１３により構成される連結ロッド‐クランク機構体により構造体ＭＢの並進と同時に動かされ、かくして、筒体Ｃの表面の放電加工プロセスの別の「ランダム化」源が作られ、このランダム化源は、運動発生器１３に運動の非一定の法則を課すことによって追加的に増強できる。
【００５７】
したがって、筒体Ｃの表面Ｓの粗さ（Ｒａ）と表面Ｓそれ自体に切り込みが入れられるピークの数の両方を変化させることが可能なので有利である。
【００５８】
レーザ発生器Ｇにより作られるパルスの数も又、図５及び図５ａに概略的に示されているようにディスプレイインターフェース（コンピュータにより）動作パラメータをランダムに設定することによって変化させることができるので有利である。
【００５９】
この時点において、公知のＣＯ2レーザ技術に対する本発明の別の顕著な利点は、極めて明らかであり、この場合、事実、レーザ信号は、一定強度Ｉを有し、したがって、ピークＤｎと無音部Ｓｎの交番が何ら存在しないＣＯ2源によって放出され、その結果、筒体Ｃの表面Ｓ上にレーザの一種の切り込みランダム性を得る唯一の方法は、ＣＯ2レーザエミッタと表面Ｓとの間に、ＫＨｚオーダの周波数でビームの通過を可能にし又はこれを妨害することができるシステムを介在させることである。
【００６０】
これは、例えば、ランダム化源と処理されるべき表面Ｓとの間に位置決めされていて、境界部に一連の正方形の歯を支持したディスク及びこの領域と一致して正確に通過するレーザビームによって達成できる。
【００６１】
このディスクは、いったん回転すると、図１の一連のピークＤｎ及び無音部Ｓｎを発生させるが、可変性は、このディスク上に利用することができる歯の数に制限され、即ち、負担という実際的理由により、大きすぎてはならないディスクそれ自体の直径に制限され、ディスクが回転をいったん停止すると、一連の歯が繰り返され、かくして「ランダム化」原理を不可避的に損なう周期性が生じることは、明らかである。この問題を解決する手段のうちの１つは、可変回転運動をディスクに与えることであるが、最終的には、技術の現状では、本発明の８つの変数、即ち、軸線Ｚ回りの筒体の回転、Ｋに沿う１つ又は複数の構造体６の運動の法則、方向Ｗにおける軌道、偏心体１２の運動の法則、Ｚに沿うヘッドの位置、レーザパルスの強度Ｉ及びパルスＤｎと無音部Ｓｎの持続時間に対する３つのランダム化変数（筒体の角速度、ディスクの角速度及びヘッド‐シリンダ相対距離）が想定されている。
【００６２】
筒体Ｃの表面処理のための機械Ｍの機能実行サイクルは、以下の作動段階に従って行われ、即ち次の通りである。
‐筒体ＣをステーションＭＡ上に位置決めする。
‐特定のインターフェースで上述の処理パラメータを設定した後、機械Ｍを始動させ、筒体Ｃが軸線Ｘ回りに回転し始める。
‐各放出ヘッド８を適当な駆動装置によりあらかじめ定められた近い距離Ｌのところで筒体Ｃの近くのアーム７（公知であり、図示されていない）上に位置決めし、駆動装置１１，１２，１３は、ヘッド８をあらかじめ定められた行程で方向Ｗに振動させる。この時点で、ヘッド８は、レーザパルス列を放出し始め、これらレーザパルス列は、筒体Ｃの表面Ｓの周囲に沿ってストリップ上に配置された箇所に順次当たる。このように、１つ又は複数の門形構造体の並進と共に筒体の回転により、このストリップは、螺旋体を形成し、この螺旋体は、処理されている筒体Ｃの表面全体上に次第に延び、筒体Ｃの最終粗さを定める微小凹部の分布が表面Ｓ全体上に作られる。これら凹部を作るランダム性は、本発明の開示に従って、上述のパラメータで決まり、プロセス中に動的に調節可能なかかる多数のパラメータにより、凹部の完全にランダムな分布を必要に応じて筒体Ｃ、特に金属の貼合せのための筒体を用いたプロセスによって得ることができる。
‐表面処理をいったん完了すると、各ヘッド８をその駆動装置のスラストを受けて筒体Ｃから遠ざけ、機械Ｍを処理済み筒体Ｃの除去のために自動的にセットアップする。
【図１】
0006367715.tif 000002
【図２】
0006367715.tif 000003
【図３】
0006367715.tif 000004
【図４】
0006367715.tif 000005
【図５】
0006367715.tif 000006
【図５ａ】
0006367715.tif 000007
【図５ｂ】
0006367715.tif 000008
【図６】
0006367715.tif 000009